(57)【要約】【課題】利用者の属性情報提供に要する負担を軽減する属性提供装置を提供する。【解決手段】属性情報・粒度検索部２７０が、サービス提供装置からの属性情報要求により該当利用者の属性情報およびその粒度を、属性情報管理データベース２０１から検索する。粒度・属性情報開示確認部２４０が、該当利用者の利用者端末に対して前記粒度の確認および前記属性情報のサービス提供装置への開示の可否の確認を要求する。属性情報開示可否判定部２５０が、利用者端末からの属性情報の開示可否返答を検証し、サービス提供装置に対する属性情報の開示の可否を判断する。属性情報・粒度送信部２３０が、属性情報の開示が可であると判断されると、前記属性情報と、前記粒度または該当利用者が変更した粒度をサービス提供装置に送信する。【選択図】図３
2007257294.tif 000002
【特許請求の範囲】
【請求項１】
利用者の属性情報を管理し、サービス提供装置からの属性情報要求により該当利用者の属性情報を前記サービス提供装置に提供する属性提供装置であって、
属性情報管理データベースに登録されている、利用者の属性情報群に対して、該属性情報の詳細度を表す粒度を設定する属性粒度設定部と、
前記属性情報要求により該当利用者の属性情報およびその粒度を、前記属性情報管理データベースから検索する属性情報・粒度検索部と、
該当利用者の利用者端末に対して前記粒度の確認および前記属性情報の前記サービス提供装置への開示の可否の確認を要求する粒度・属性情報開示確認部と、
前記利用者端末からの属性情報の開示可否返答を検証し、前記サービス提供装置に対する属性情報の開示の可否を判断する属性情報開示可否判定部と、
属性情報の開示が可であると判断されると、前記属性情報と、前記粒度または該当利用者が変更した粒度を前記サービス提供装置に送信する属性情報・粒度送信部と
を有する属性提供装置。
【請求項２】
サービス提供装置からサービスの提供を受ける利用者端末であって、
利用者の属性情報を管理し、サービス提供装置からの属性情報要求により該当利用者の属性情報を前記サービス提供装置に提供する属性提供装置より受信した、利用者の属性情報の詳細度を表す粒度の確認要求に対して利用者が粒度を確認し、または粒度を変更するための情報を表示装置に表示する属性粒度確認画面表示部と、
前記属性提供装置より受信した属性情報の開示の可否の確認要求に対して利用者が開示の可否を判断し、判断結果を入力するための情報を前記表示装置に表示する属性情報開示可否判断画面表示部と、
利用者が確認または変更した粒度と、利用者の情報開示可否判断結果を前記属性提供装置に送信する粒度・属性情報開示可否判断送信部と
を有する利用者端末。
【請求項３】
利用者に対してサービスを提供するサービス提供装置であって、
利用者を認証し、該利用者が正規利用者であると認証された場合、利用者の属性情報を提供する属性提供装置に、前記利用者の属性情報と、その詳細度を表す粒度の提供要求を送信するユーザ認証部と、
前記属性提供装置から、前記利用者の属性情報と、その粒度を受信する属性情報・粒度受信部と、
受信した前記属性情報と前記粒度に基づき前記利用者に提供するサービスを決定し、該サービスを前記利用者に提供するサービス決定部と
を有するサービス提供装置。
【請求項４】
利用者の属性情報を管理し、サービス提供装置からの属性情報要求により該当利用者の属性情報を前記サービス提供装置に提供する、属性情報・粒度検索部と粒度・属性情報開示確認部と属性情報開示可否判定部と属性情報・粒度送信部とを有する属性提供装置で行われる属性提供方法であって、
前記属性情報・粒度検索部が、前記属性情報要求により該当利用者の属性情報およびその粒度を属性情報管理データベースから検索するステップと、
前記粒度・属性情報開示確認部が、該当利用者の利用者端末に対して前記粒度の確認および前記属性情報の前記サービス提供装置への開示の可否の確認を要求するステップと、
前記属性情報開示可否判定部が、前記利用者端末からの属性情報の開示可否返答を検証し、前記サービス提供装置に対する属性情報の開示の可否を判断するステップと、
前記属性情報・粒度送信部が、属性情報の開示が可であると判断されると、前記属性情報と、前記粒度または該当利用者が変更した粒度を前記サービス提供装置に送信するステップと
を有する属性提供方法。
【請求項５】
利用者にサービスを提供するサービス提供装置と、利用者の属性情報を管理し、前記サービス提供装置からの属性情報要求により該当利用者の属性情報を前記サービス提供装置に提供する属性提供装置と、利用者が前記サービス提供装置に接続し、目的のサービスを利用するための操作を行なうための利用者端末とを有し、
前記属性提供装置は、
属性情報管理データベースに登録されている、利用者の属性情報群に対して、該属性情報の詳細度を表す粒度を設定する属性粒度設定部と、
前記属性情報要求により該当利用者の属性情報およびその粒度を、前記属性情報管理データベースから検索する属性情報・粒度検索部と、
該当利用者の利用者端末に対して前記粒度の確認および前記属性情報の前記サービス提供装置への開示の可否の確認を要求する粒度・属性情報開示確認部と、
前記利用者端末からの属性情報の開示可否返答を検証し、前記サービス提供装置に対する属性情報の開示の可否を判断する属性情報開示可否判定部と、
属性情報の開示が可であると判断されると、前記属性情報と、前記粒度または該当利用者が変更した粒度を前記サービス提供装置に送信する属性情報・粒度送信部と
を含み、
前記利用者端末は、
利用者の属性情報を管理し、前記サービス提供装置からの属性情報要求により該当利用者の属性情報を前記サービス提供装置に提供する属性提供装置より受信した、粒度の確認要求に対して利用者が粒度を確認し、または粒度を変更するための情報を表示装置に表示する属性粒度確認画面表示部と、
前記属性提供装置より受信した属性情報の開示の可否の確認要求に対して利用者が開示の可否を判断し、判断結果を入力するための情報を前記表示装置に表示する属性情報開示可否判断画面表示部と、
利用者が確認または変更した粒度と、利用者の情報開示可否判断結果を前記属性提供装置に送信する粒度・属性情報開示可否判断送信部と
を含み、
前記サービス提供装置は、
利用者を認証し、該利用者が正規利用者であると認証された場合、前記属性提供装置に、前記利用者の属性情報と、その粒度の提供要求を送信するユーザ認証部と、
前記属性提供装置から、前記利用者の属性情報と、その粒度を受信する属性情報・粒度受信部と、
受信した前記属性情報と前記粒度に基づき前記利用者に提供するサービスを決定し、該サービスを前記利用者に提供するサービス決定部と
を含む
サービス提供システム。
【請求項６】
コンピュータを請求項１に記載の属性提供装置として機能させるためのプログラム。
【請求項７】
コンピュータを請求項２に記載の利用者端末として機能させるためのプログラム。
【請求項８】
コンピュータを請求項３に記載のサービス提供装置として機能させるためのプログラム。
【発明の詳細な説明】
【技術分野】
【０００１】
本発明は、サービス提供装置がネットワークを介して利用者にサービスを提供するサービスシステムに関し、特にサービス提供装置に対して利用者の属性情報を提供する属性提供装置に関する。
【０００２】
ここで、属性情報とは、ある利用者を特定するための情報や、その人が有する種々の情報をいい、氏名、住所のほか、例えば、性別、生年月日、血液型、固定電話番号、携帯電話番号、ｅ−ｍａｉｌアドレス、勤務先、趣味嗜好、特技、資格、家族構成、消費者がネットワークにアクセスする端末の種別、位置情報、回線帯域・速度・種別や端末、電話回線の契約年数や料金支払い金額、などよりなる。
【背景技術】
【０００３】
従来、企業、店舗等における消費者の属性情報の収集は、各企業や店舗がそれぞれ独自に定めた方式に基づいて行なわれており、消費者が自己の属性情報を提供しようとする場合は、その都度、自己の属性情報を提示（例えば入会申込書に記載、あるいは端末から入力など）する必要があった。このため、複数の企業や店舗に属性情報を提供する場合、ほぼ同様の手続を何度もしなければならず、煩雑で、かつ、重複する負担となっていた。また、属性情報の提供先や利用条件に関する情報を消費者が予め全て把握するのは困難であった。その問題を解決するものとして、特許文献１に開示されたシステムがある。このシステムの特徴は、消費者が上記情報を把握しなくても、提示が必要または有効な属性情報を、その属性情報を提示することが必要なまたは有効なサービス提供者に自動的に提示することが可能であることである。
【特許文献１】特開２００４−３４１８９９号公報
【発明の開示】
【発明が解決しようとする課題】
【０００４】
このように、従来、消費者が複数の企業や店舗に属性情報を提供する場合、ほぼ同様の手続を何度もしなければならず、煩雑で、かつ、重複する負担となっていた。
【０００５】
また、消費者は、不特定多数の企業や店舗等に自己の属性情報を提供する際、それらの信用度合いを独自に判断し、要求される属性情報をすべて提示する、もしくは一切提示しないという二者択一の選択をすることになっていた。
【０００６】
本発明の目的は、消費者（利用者）の属性情報提供に要する負担を軽減する属性提供装置、方法、およびプログラムを提供することにある。
【課題を解決するための手段】
【０００７】
上記の目的を達成するために、本発明の属性提供装置は、
属性情報管理データベースに登録されている、利用者の属性情報群に対して、該属性情報の詳細度を表す粒度を設定する属性粒度設定部と、
サービス提供装置からの属性情報要求により該当利用者の属性情報およびその粒度を、属性情報管理データベースから検索する属性情報・粒度検索部と、
該当利用者の利用者端末に対して前記粒度の確認および前記属性情報のサービス提供装置への開示の可否の確認を要求する属性情報開示確認部と、
利用者端末からの属性情報の開示可否返答を検証し、サービス提供装置に対する属性情報の開示の可否を判断する属性情報開示可否判定部と、
属性情報の開示が可であると判断されると、前記属性情報と、前記粒度または該当利用者が変更した粒度をサービス提供装置に送信する属性情報・粒度送信部と
を有する。
【０００８】
本属性提供装置では、各属性情報の細かさは段階的に設定され、また、該情報の第三者への開示については、利用者が明示的に登録していない属性情報を含む場合もあることを考慮して、利用者へ確認を行ない、開示先毎に粒度を変更することができるため、利用者は安心して属性情報の提供を行なうことができる。
【発明の効果】
【０００９】
以上説明したように、本発明によれば、消費者（利用者）の属性情報は提供先の企業や店舗等（サービス提供装置）に対して、消費者が必要に応じて粒度を変更させた形態で提供されるため、消費者が自らの属性情報を開示先毎に管理することが可能となる。一方、企業や店舗等は、消費者から提供される粒度に応じてサービス内容を変更することができる。さらに、消費者を特定できる詳細な属性情報を管理したくない企業や店舗等にとって、予めサービス提供に必要となる粒度を粗く指定することにより、属性情報の管理コストを低減できるだけではなく属性情報の漏洩に関するリスクを低減することができる。
【発明を実施するための最良の形態】
【００１０】
次に、本発明の実施の形態について図面を参照して説明する。
【００１１】
［第１の実施の形態］
図１を参照すると、本発明の第１の実施形態による属性提供装置を含むサービス提供システムは、利用者の属性情報に粒度を付与し、利用者の属性情報を管理する属性提供装置２００と、属性提供装置２００から利用者の属性情報と粒度を受け取り、利用者にサービスを提供するサービス提供装置３００と、利用者がサービス提供装置３００に接続し、目的のサービスを利用するために操作を行なうための利用者端末１００と、利用者端末１００、属性提供装置２００、サービス提供装置３００が接続されたネットワーク４００で構成されている。
【００１２】
属性提供装置２００で管理する情報の例としては、識別子（利用者を特定する文字列）、氏名、住所、生年月日、固定電話番号、携帯電話番号、ｅ−ｍａｉｌアドレス、端末種別・位置情報、回線帯域・速度、電話会社との回線契約年数・支払実績、など動的な情報が含まれる。属性情報の粒度の一例については、表１および表２に示す。表１、表２は粒度を２段階（粗い、細かい）としたもので、表２ではアスタリスクによるマスク表示を用いたものである。
【００１３】
【表１】
2007257294.tif 000003
【００１４】
【表２】
2007257294.tif 000004
【００１５】
サービス提供装置３００で管理する情報の例としては、識別子・パスワード、サービス種別、支払条件、最終ログイン時間、などが含まれる。ここで、属性提供装置２００およびサービス提供装置３００でそれぞれ管理する識別子は、同一のサービス利用者を示す場合、互いに関連付けることができることとする（アカウントリンキング）。
【００１６】
図２を参照すると、利用者端末１００は、利用者がサービスを利用するためサービス提供装置３００に対して認証情報を送信する認証情報送信部１１０と、属性提供装置２００より受信した粒度の確認要求に対して、利用者が粒度を確認し、または変更するための情報をディスプレイ（不図示）に表示する属性粒度確認画面表示部１２０と、属性提供装置２００より受信した属性情報開示可否確認要求に対して、利用者が属性情報開示可否を判断し、および入力するための情報をディスプレイに表示する属性情報開示可否判断画面表示部１３０と、利用者が確認または変更した粒度と、利用者の情報開示可否判断の結果を属性提供装置２００に送信する粒度・属性情報開示可否判断送信部１４０を有する。
【００１７】
図３を参照すると、属性提供装置２００は、属性情報管理データベース２０１と、利用者の属性情報群を属性情報管理データベース２０１に登録する属性情報登録部２１０と、利用者の属性情報群に対して、利用者の属性情報の詳細度である粒度を段階的に設定できる情報粒度設定部２２０と、利用者端末１００からの属性情報提供要求（利用者が利用者端末１００から属性提供装置２００への属性情報の送信要求を行い、本人認証された後、自らの属性情報を確認または更新したい場合）またはサービス提供装置３００からの属性情報提供要求により属性情報と粒度を送信する属性情報・粒度送信部２３０と、サービス提供装置３００に対して属性情報を開示してよいか否かの確認を利用者端末１００に対して要求する属性情報開示確認部２４０と、利用者端末１００からの属性情報の開示可否返答を検証し、サービス提供者に対して属性情報を開示するか否かを判断する属性情報開示可否判定部２５０と、ＩＤ管理データベース２６１と、サービス提供装置３００からの利用者の属性情報要求により、ＩＤ管理データベース２６１のＩＤから属性提供装置２００が利用者の属性情報と結び付け管理しているＩＤへの変換を行なうＩＤ変換部２６０と、変換した利用者の属性情報と結び付け管理しているＩＤにより、利用者の属性情報の検索を行なう属性情報検索部２７０と、サービス提供装置３００もしくは利用者端末１００から属性情報の提供に関する要求を受理した際、外部の属性提供装置に登録されている利用者の属性情報を入手する属性情報要求部２８０と、外部の属性装置から属性情報を受信する属性情報受信部２９０を有する。
【００１８】
表３に属性情報管理データベース２０１に登録されるデータの例を示す。
【００１９】
【表３】
2007257294.tif 000005
【００２０】
この例では、属性情報「住所」において、「都道府県→市区→町村→丁目→番地」（右に行くほど粒度が細かい。表３では粒度の項に示した値が大きいほど粒度が細かい）と区分を設定している。なお、この粒度の区分と実データとの対応付けは情報粒度設定部２２０により行なう。この例では住所を「都道府県→市区→町村→丁目→番地」という段階で区分しているが、経度緯度の有効桁数を粒度として設定したり、クレジットカード番号（銀行口座番号）等を「上４桁表示→上８桁表示→全桁表示」（右に行くほど粒度が細かい）と設定する他、金額を「○円台」と丸める等、その設定対象、区分については提示した例に限るものではない。
【００２１】
図４を参照すると、サービス提供装置３００は、サービス利用者からの要求を受けて認証を実施し、該サービス利用者が正規利用者であると認証された場合、属性提供装置２００に、該サービス利用者の属性情報と、その詳細度を表す粒度の提供要求を送信するユーザ認証部３１０と、属性提供装置２００から属性情報および粒度を受信する属性情報・粒度受信部３２０と、属性提供装置２００から受信した属性情報および粒度に基づき前記サービス利用者に提供するサービスを決定し、該サービスを提供するサービス決定部３３０と、属性提供装置２００から提供される属性情報の粒度を指定する粒度指定部３４０を有する。
【００２２】
次に、本実施形態のサービス提供システムの動作を図５参照して説明する。なお、利用者の属性情報と粒度は属性提供装置２００に格納されていることとし、属性提供装置２００とサービス提供装置３００との間に予め各々の管理している識別子について、アカウントリンキングがなされているとする。
【００２３】
まず、利用者端末１００からサービス提供装置３００に認証情報を送信する（ステップ５０１、５０２）と、サービス提供装置３００ではユーザ認証部３１０がユーザ認証を行なう（ステップ５０３）。ユーザ認証により当該利用者が正規利用者であると認証された場合、ユーザ認証部３１０は属性提供装置２００に対して、サービス提供装置３００が管理する識別子を含み、また必要に応じて属性情報の粒度（粒度指定部３４０で指定された粒度）を含む該当利用者の属性情報の提供要求を送信する（ステップ５０４）。属性提供装置２００とサービス提供装置３００との間にはあらかじめ各々の管理している識別子のアカウントリンキングがなされているため、ＩＤ変換部２６０はサービス提供装置３００から受信した識別子を属性提供装置２００のＩＤ管理データベース２６１にて管理する識別子に変換する（ステップ５０５）。属性提供装置２００の属性情報・粒度検索部２７０は、変換した識別子に紐付け管理している利用者の属性情報を属性情報管理データベース２０１から検索し（ステップ５０６）、該当属性情報の粒度の確認要求および属性情報をサービス提供装置３００へ開示してよいかを確認するための粒度・属性情報開示可否確認要求を粒度・属性情報開示確認部２４０から利用者端末１００に対して送信する（ステップ５０７）。利用者端末１００では、属性粒度確認画面表示部１２０によってディスプレイに属性粒度設定画面（図６）を表示し（ステップ５０８）、利用者が属性情報の粒度を確認し、必要に応じて属性情報の粒度を変更し（指定粒度の場合、利用者は粒度を変更できない）（ステップ５０９、５１０）、粒度設定画面（図６）上の「提供する」ボタンをクリックすることで、その結果を利用者端末１００に対して送信する（ステップ５１１）。さらに、利用者端末１００では、属性情報開示可否判断画面表示部１３０によって属性開示可否確認画面を表示し（ステップ５１２）、利用者が属性内容を確認し、さらに属性開示可否画面を表示して（ステップ５１３）、利用者が属性情報の開示可否を判断し（ステップ５１４、５１５）、属性粒度の確認または変更と属性情報の開示可否に関する判断結果を粒度・属性情報開示可否判断送信部１４０より属性提供装置２００に送信する（ステップ５１６、５１７、５１８）。属性提供装置２００では、属性情報開示可否判定部２５０が、受信した内容によって属性情報の開示可否を判定し（ステップ５１９）、その結果、開示が可能である場合、サービス提供装置３００に対して、属性情報・粒度送信部２３０より属性情報と粒度が送信される（ステップ５２０）。サービス提供装置３００は属性情報・粒度受信部３２０で属性情報と粒度を受信し（ステップ５２１）、受信した該当利用者の属性情報とその粒度によりサービスを決定し（ステップ５２２）、該サービスを利用者端末１００に対して提示する（ステップ５２３）。
【００２４】
ここで、情報開示の可否判定（ステップ５１９）の詳細について、図７のフローチャートを用いて説明する。属性提供装置２００は、利用者端末１００から属性情報の開示可否に関する結果を受信した後（ステップ６０１）、それに含まれるセッション情報についてセッション管理部に問合せ、その有効性を確認し、また利用者端末１００に関する本人性証明情報（公的証明書など）について公的証明機関等を用いて本人性を確認し、また受信したデータに改ざんがないことを検証する（ステップ６０２）。最後に、情報開示可否の判断結果の情報を読み出す（ステップ６０３）。
【００２５】
なお、利用者による属性情報と粒度の登録手順の例としては、利用者が任意の端末（図２に示す利用者端末１００が有する機能を必ずしも持たなくてもよい)を用いて属性情報の粒度を変化させると、属性情報提供装置２００の属性情報登録部２１０もしくは任意の端末上のアプリケーションがその情報を読み取り、該属性情報を入力可能な入力フォームなどの情報量や入力桁数が自動的に増減することにより、利用者が登録できる属性情報の入力桁数が変化するようにしてもよい。
【００２６】
［第２の実施形態］
本実施形態においては、該当する属性情報が属性提供装置２００ではなく外部の属性提供装置に存在するものとする。本実施形態の属性提供装置２００の動作について図８のフローチャートを用いて説明する。図５のステップ５０６において、属性提供装置２００の属性情報検索部２７０が変換後のＩＤに基づいて利用者の属性情報を検索する際（ステップ７００）、サービス提供装置３００から要求された属性情報群の一部が、属性提供装置２００が管理する属性情報管理データベース２０１に存在しない場合、属性情報要求部２８０が外部の属性提供装置に対して、非登録情報に関する要求を行なう（ステップ７０１）。要求を受けた外部の属性提供装置は該当する情報を返送する（ステップ７０２）。属性提供装置２００はそれを属性情報受信部２９０で受信し、属性粒度設定部２２０がその属性情報の粒度を最も細かいランクとして属性情報管理データベース２０１に設定し（ステップ７０３）、受信した（未登録の）属性情報と属性情報管理データベース２０１にある属性情報を統合し、サービス提供装置３００へ送信する（ステップ７０４、７０５）。以降は上記と同様である。
【００２７】
なお、属性提供装置、利用者端末、サービス提供装置の機能は、その機能を実現するためのプログラムを、コンピュータ読み取り可能な記録媒体に記録して、この記録媒体に記録されたプログラムをコンピュータに読み込ませ、実行するものであってもよい。コンピュータ読み取り可能な記録媒体とは、フレキシブルディスク、光磁気ディスク、ＣＤ−ＲＯＭ等の記録媒体、コンピュータシステムに内蔵されるハードディスク装置等の記憶装置を指す。さらに、コンピュータ読み取り可能な記録媒体は、インターネットを介してプログラムを送信する場合のように、短時間、動的にプログラムを保持するもの（伝送媒体もしくは伝送波）、その場合のサーバとなるコンピュータ内の揮発性メモリのように、一定時間プログラムを保持しているものを含む。
【産業上の利用可能性】
【００２８】
以上のように、本発明による属性提供装置は、属性情報の詳細度に応じて内容を変更するサービス提供者に対して適している。たとえば、利用者の属性情報項目として住所を想定すると、利用者がサービス提供者に対して、その粒度が粗い例として地域情報のみを提示した場合、該地域周辺で利用できるクーポンを電子メールで提供できる。その一方、粒度が細かい例として一意に特定できる住所表記まで提示した場合、商品を該住所へ郵送するなどのケースが考えられる。また、ネットオークション等において個人間の取引を行なう場合、出品者が自らの信頼性を取引相手にアピールしたいときに、第三者である属性情報提供者を経由して、応札者に対して、適切な粒度の属性情報を開示する際において有用である。
【図面の簡単な説明】
【００２９】
【図１】本発明の一実施形態による属性提供装置を含むサービス提供システムの構成図である。
【図２】利用者端末の構成例を示す図である。
【図３】属性提供装置の構成例を示す図である。
【図４】サービス提供装置の構成例を示す図である。
【図５】図１に示すサービス提供システムの動作を示すシーケンス図である。
【図６】利用者が属性情報の粒度を設定する画面を示す図である。
【図７】属性提供装置における情報開示可否判定部の動作を示すフローチャートである。
【図８】本発明の他の実施形態による属性提供装置におけるＩＤ変換と属性情報検索を含む属性情報送信のフローチャートである。
【符号の説明】
【００３０】
１００    利用者端末
１１０    認証情報送信部
１２０    属性粒度確認画面表示部
１３０    属性情報開示可否判断画面表示部
１４０    粒度・属性情報開示可否判断送信部
２００    属性提供装置
２０１    属性情報管理データベース
２１０    属性情報登録部
２２０    属性粒度設定部
２３０    属性情報・粒度送信部
２４０    粒度・属性情報開示確認部
２５０    属性情報開示可否判定部
２６０    ＩＤ変換部
２６１    ＩＤ管理データベース
２７０    属性情報・粒度検索部
２８０    属性情報要求部
２９０    属性情報受信部
３００    サービス提供装置
３１０    ユーザ認証部
３２０    属性情報・粒度受信部
３３０    サービス決定部
３４０    粒度指定部
４００    ネットワーク
５０１〜５２３、６０１〜６０３、７００〜７０５    ステップ
【図１】
2007257294.tif 000006
【図２】
2007257294.tif 000007
【図３】
2007257294.tif 000008
【図４】
2007257294.tif 000009
【図５】
2007257294.tif 000010
【図６】
2007257294.tif 000011
【図７】
2007257294.tif 000012
【図８】
2007257294.tif 000013